(57)【特許請求の範囲】
【請求項１】
閂および落とし棒からなる施錠手段が取り付けられている門扉において、
前記施錠手段は、門扉の内側に取り付けられ、手を通して前記施錠手段を操作することができる位置に小窓が形成され、前記小窓は、スライド可能な開閉板により開閉され、前記開閉板は、門扉の外側から施錠可能であることを特徴とする小窓付き門扉。
【請求項２】
一方側扉および他方側扉からなり、スライド式または観音開き式であることを特徴とする、請求項１に記載の小窓付き門扉。
【発明の詳細な説明】
【技術分野】
【０００１】
この発明は、小窓付き門扉、特に、閂あるいは落とし棒からなる施錠手段を門扉の内側あるいは外側から操作することを可能にする、開閉可能かつ施錠可能な小窓が取り付けられた門扉に関するものである。
【背景技術】
【０００２】
従来から門扉の施錠手段として、閂（かんぬき）および落とし棒が使用されている。
【０００３】
施錠手段は、これを門扉の内側（敷地側）に設ける場合と門扉の外側（敷地と反対側）に取り付ける場合とがあるが、以下、施錠手段が門扉の内側に取り付けられた場合を例にとって、図面を参照しながら説明する。
【０００４】
図８は、門扉を示す部分正面図、図９は、門扉に取り付けられた閂を示す斜視図、図１０は、図９のＡ矢視図、図１１は、門扉に取り付けられた落とし棒を示す斜視図である。
【０００５】
図８から図１１において、１は、縦桟と横桟とを格子状に溶接した格子状金網からなる門扉であり、互いにスライド可能な一方側扉１ａおよび他方側扉１ｂからなっている。なお、門扉１は、スライド式門扉であっても観音開き式門扉であっても良い。２は、施錠手段としての閂であり、一方側扉１ａおよび他方側扉１ｂの内側に取り付けられたガイド金具４間に渡って水平に挿入される。閂２をガイド金具４間に渡って水平に挿入した後、図９に示すように、閂２を軸回りに回転させて、閂２に取り付けられた操作レバー５の孔５ａにガイド金具４を差し込み、閂２の移動を阻止することによって、門扉１を施錠することができる。
【０００６】
この場合、図示の例のように、門扉１が格子状金網で構成されている場合には、格子間から手を入れ、門扉１の外側から閂２が外されてしまう恐れがある。そこで、図１０に示すように、ガイド金具４に形成した孔４ａに南京錠等の鍵６を装着して、操作レバー５の回動を阻止し、すなわち、操作レバー５をロックして、閂２が外されてしまうことを防止している。
【０００７】
３は、施錠手段としての落とし棒であり、門扉１の戸当りに固定されたガイド金具７に垂直に挿通され、落とし棒３の下端部を地面に形成した落とし孔８内に落とし込むことによって、門扉１を施錠することができる。
【０００８】
通常、門扉１の下面と地面との間には隙間が形成されているので、この隙間を通して門扉１の外側から手を入れ、落とし棒３を軸回りに回転させることによって、落とし棒３が外されてしまう恐れがある。そこで、図１１に示すように、ガイド金具７に南京錠等の鍵６を装着して、落とし棒３に取り付けられた操作レバー９の回動を阻止し、すなわち、操作レバー９をロックして、門扉１の外側から落とし棒３が外されてしまうことを防止している。
【発明の概要】
【発明が解決しようとする課題】
【０００９】
上述のように、閂２の場合には、ガイド金具４に形成した孔４ａに南京錠等の鍵６を装着することによって、閂２が門扉１の外側から外されてしまうことを防止することができ、一方、落とし棒３の場合には、ガイド金具７に南京錠等の鍵６を装着することによって、落とし棒３が門扉１の外側から外されてしまうことを防止することができるが、図示の例のように、これらの施錠手段が門扉１の内側に取り付けられている場合には、門扉１の外側から閂２、落とし棒３および鍵６を操作することができない。従って、敷地内が無人となる場合には、門扉１を施錠することができない。
【００１０】
そこで、図８に示すように、門扉１の外側から閂２および落とし棒３に手が届く門扉１の部分に小窓１１（この例では４個）を形成し、門扉１を閉じた後に、門扉１の外側から小窓１１を通して閂２、落とし棒３および鍵６を操作できるようにし、かくして、敷地内が無人となっても、門扉１をその外側から施錠することを可能にしている。
【００１１】
しかしながら、門扉１に小窓１０を設けると、小窓１０を通して門扉１の外側から鍵６が外されたり、あるいは、小窓１０が門扉１を乗り越えるための足掛かりとなる恐れがあった。
【００１２】
従って、この発明の目的は、門扉の外側から施錠手段の操作および施錠手段をロックする鍵の操作を可能にするための小窓を門扉に形成しても、この小窓を通して門扉の外側から鍵が外されたり、あるいは、小窓が門扉を乗り越えるための足掛かりとならない門扉を提供することにある。
【課題を解決するための手段】
【００１３】
この発明は、上記目的を達成するためになされたものであり、下記を特徴とするものである。
【００１４】
請求項１記載の発明は、閂および落とし棒からなる施錠手段が取り付けられている門扉において、前記施錠手段は、門扉の内側に取り付けられ、手を通して前記施錠手段を操作することができる位置に小窓が形成され、前記小窓は、スライド可能な開閉板により開閉され、前記開閉板は、門扉の外側から施錠可能であることに特徴を有するものである。
【００１５】
請求項２記載の発明は、請求項１に記載の小窓付き門扉において、一方側扉および他方側扉からなり、スライド式または観音開き式であることに特徴を有するものである。
【発明の効果】
【００１７】
この発明によれば、門扉の外側から施錠手段の操作および施錠手段をロックする鍵の操作を可能にするための小窓を門扉に形成しても、この小窓を通して門扉の外側から鍵が外されたり、あるいは、小窓が門扉を乗り越えるための足掛かりとならない。
【図面の簡単な説明】
【００１８】
【図１】この発明の小窓付き門扉を示す部分正面図である。
【図２】小窓部分の、この発明の小窓付き門扉を示す部分正面図である。
【図３】図２のＡ矢視図である。
【図４】図２のＢ矢視図である。
【図５】小窓を開いたときの、この発明の小窓付き門扉を示す部分正面図である。
【図６】小窓を開いた、この発明の小窓付き門扉を示す部分正面図である。
【図７】図６のＡ矢視図である。
【図８】従来の門扉を示す部分正面図である。
【図９】閂部分の、従来の門扉を示す部分斜視図である。
【図１０】図９のＡ矢視図である。
【図１１】落とし棒部分の、従来の門扉を示す部分斜視図である。
【発明を実施するための形態】
【００１９】
この発明の小窓付き門扉の一実施態様を、施錠手段が門扉の内側に取り付けられた場合を例にとって、図面を参照しながら説明する。
【００２０】
図１は、この発明の小窓付き門扉を示す部分正面図、図２は、小窓部分の、この発明の小窓付き門扉を示す部分正面図、図３は、図２のＡ矢視図、図４は、図２のＢ矢視図、図５は、小窓を開いたときの、この発明の小窓付き門扉を示す部分正面図、図６は、小窓を開いた、この発明の小窓付き門扉を示す部分正面図、図７は、図６のＡ矢視図である。
【００２１】
図１から図７において、１は、縦桟と横桟とを格子状に溶接した格子状金網からなる門扉であり、互いにスライド可能な一方側扉１ａおよび他方側扉１ｂからなっている。なお、門扉１は、スライド式門扉であっても観音開き式門扉であっても良い。２は、施錠手段としての閂であり、上述したように、一方側扉１ａおよび他方側扉１ｂの内側に取り付けられたガイド金具４間に渡って水平に挿入され、閂２をガイド金具４間に渡って水平に挿入した後、閂２を軸回りに回転させて、閂２に取り付けられた操作レバー５の孔５ａにガイド金具４を差し込み、閂２の移動を阻止することによって、門扉１を施錠することができる（図９参照）。
【００２２】
上記閂２においては、ガイド金具４に形成した孔４ａに南京錠等の鍵６を装着して、操作レバー５の回動を阻止し、すなわち、操作レバー５をロックして、閂２が外されてしまうことを防止している（図１０参照）。
【００２３】
３は、施錠手段としての落とし棒であり、門扉１の戸当りに固定されたガイド金具７に垂直に挿通され、落とし棒３の下端部を地面に形成した落とし孔８内に落とし込むことによって、門扉１を施錠することができる（図１１参照）。
【００２４】
上記落とし棒３においては、ガイド金具７に南京錠等の鍵６を装着して、落とし棒３に取り付けられた操作レバー９の回動を阻止し、すなわち、操作レバー９を施錠して、門扉１の外側から落とし棒３が外されてしまうことを防止している（図１０参照）。
【００２５】
１０は、矩形状の小窓であり、門扉１の外側から閂２および落とし棒３に手が届く門扉１の部分に形成されている。すなわち、この例では、閂２部分の一方側および他方側扉１ａ、１ｂにそれぞれ１個づつ、そして、落とし棒３部分の一方側および他方側扉１ａ、１ｂにそれぞれ１個づつ形成されている。小窓１０は、門扉１の内側に固定された内側板１１と、門扉１の外側に固定された外側板１２と、内側板１１と外側板１２との間に設けられた中間板１３とに矩形状の開口を形成することにより構成され、門扉１は、外側板１２と中間板１３との間に挟まれている。図３に示すように、内側板１１の戸当り側の端部１１ａは、門扉１の外側に向けて直角に折れ曲がっていて、端部１１ａには、後述する鍵の挿通孔１１ｂが形成されている。
【００２６】
各小窓１０には、水平方向にスライド可能な開閉板１４が取り付けられ、開閉板１４をスライドさせることによって、各小窓１０は開閉可能になっている。開閉板１４は、内側板１１と中間板１３との間にスライド可能に設けられている。開閉板１４の戸当り側の端部１４ａは、門扉１の外側に向けて直角に折れ曲がっていて、端部１４ａには、後述する鍵の挿通孔１４ｂが形成されている。
【００２７】
１５は、南京錠等からなる鍵である。開閉板１４を閉めることによって互いに重なった、内側板１１の挿通孔１１ａと開閉板１４の挿通孔１４ａとに鍵１５を挿通することによって、開閉板１４が施錠される。
【００２８】
このように、各小窓１０は、全て開閉板１４により開閉可能であり、各開閉板１４は、鍵１５により施錠可能になっている。全ての鍵１５を同じ物にすれば、開閉板１４の施錠および開錠が容易に行える。閂２および落とし棒３の鍵６と同じ物にしても良い。
【００２９】
各小窓１０を開閉板１４により開くには、開閉板１４の鍵１５を外した後、図５、図６および図７に示すように、開閉板１４の端部１４ａを手で持ち、開閉板１４を開方向にスライドさせる。一方、各小窓１０を開閉板１４により閉じるには、開閉板１４の端部１４ａを手で持ち、開閉板１４を閉方向にスライドさせる。そして、互いに重なった内側板１１の挿通孔１１ａと開閉板１４の挿通孔１４ｂとに鍵１５を挿通して施錠すれば良い。
【００３０】
このように、各小窓１０を開閉板１４により閉じ、開閉板１４を鍵１５により施錠することによって、小窓１０を通して門扉２の外側から鍵６が外されたり、あるいは、小窓１０が門扉２を乗り越えるための足掛かりとなる恐れは皆無となる。
【００３１】
以上の例は、閂２および落とし棒３からなる施錠手段が門扉１の内側に取り付けられた場合であるが、施錠手段が門扉１の外側に取り付けられている場合も基本的に同じである。また、施錠手段が閂２および落とし棒３の何れか一方からなる場合であっても良い。さらに、開閉板１４は、スライド式であっても開閉式であっても良い。
【符号の説明】
【００３２】
１：門扉
１ａ：一方側扉
１ｂ：他方側扉
２：閂
３：落とし棒
４：ガイド金具
４ａ：孔
５：操作レバー
５ａ：孔
６：鍵
７：ガイド金具
８：落とし孔
９：操作レバー
１０：小窓
１１：内側板
１１ａ：端部
１１ｂ：挿通孔
１２：外側板
１３：中間板
１４：開閉板
１４ａ：端部
１４ｂ：挿通孔
１５：鍵
【図１】
0005390997.tif 000002
【図２】
0005390997.tif 000003
【図３】
0005390997.tif 000004
【図４】
0005390997.tif 000005
【図５】
0005390997.tif 000006
【図６】
0005390997.tif 000007
【図７】
0005390997.tif 000008
【図８】
0005390997.tif 000009
【図９】
0005390997.tif 000010
【図１０】
0005390997.tif 000011
【図１１】
0005390997.tif 000012